(57)【要約】【課題】ユーザの使用感に悪影響を与えずにデフラグメンテーションを実行することができる携帯端末装置を提供すること。【解決手段】情報が記録される情報記録手段２０６と、情報記録手段２０６の記録領域上で分散化された情報を、記録領域上で連続した状態に再記録する再記録手段２０４と、装置本体１００の動作状況に応じた再記録手段２０４の実行条件を定める実行条件設定手段２０１と、装置本体１００の動作状態を検出する検出手段２０５と、検出手段２０５での検出結果が実行条件設定手段２０１で設定した実行条件になった場合に再記録手段２０４の実行の指示を行う実行指示手段２０３とを有することによって、装置本体１００の動作状況などの条件に応じて柔軟に再記録処理が実行でき、使用者に使用感を悪化させることがない。【選択図】図２
2006318253.tif 000002
【特許請求の範囲】
【請求項１】
情報が記録される情報記録手段と、前記情報記録手段の記録領域上で分散化された前記情報を、前記記録領域上で連続した状態に再記録する再記録手段と、装置本体の動作状況に応じた前記再記録手段の実行条件を定める実行条件設定手段と、装置本体の動作状態を検出する検出手段と、前記検出手段での検出結果が前記実行条件設定手段で設定した前記実行条件になった場合に前記再記録手段の実行の指示を行う実行指示手段とを有する携帯端末装置。
【請求項２】
前記実行条件設定手段で定める前記実行条件が、前記装置本体の充電状況検出であることを特徴とする請求項１記載の携帯端末装置。
【請求項３】
前記実行条件設定手段で定める前記実行条件が、前記装置本体の操作状況検出であることを特徴とする請求項１記載の携帯端末装置。
【請求項４】
前記実行条件設定手段で定める前記実行条件が、前記装置本体のアプリケーション動作状況検出であることを特徴とする請求項１記載の携帯端末装置。
【請求項５】
前記実行条件設定手段で定める前記実行条件が、ユーザによる前記装置本体への所定入力操作状況検出であることを特徴とする請求項１記載の携帯端末装置。
【請求項６】
前記実行条件設定手段で定める前記実行条件が、前記装置本体の前記情報記録手段へのアクセス速度検出であることを特徴とする請求項１記載の携帯端末装置。
【請求項７】
前記実行条件設定手段で定める前記実行条件が、前記装置本体の操作状況検出、および前記ユーザによる前記装置本体への所定入力操作状況検出であり、前記ユーザによる前記装置本体への前記所定入力操作時に、前記ユーザに前記装置本体の充電を促す警告を表示する表示手段をさらに備えたことを特徴とする請求項１記載の携帯端末装置。
【請求項８】
前記実行条件設定手段で定める前記実行条件が、前記装置本体の操作状況検出、および前記ユーザによる前記装置本体への所定入力操作状況検出であり、前記ユーザによる前記装置本体への前記所定入力操作時に、前記ユーザに前記装置本体の充電を促す警告を音声で出力する音声出力手段をさらに備えたことを特徴とする請求項１記載の携帯端末装置。
【請求項９】
所定の時間帯に所定のアプリケーションを実行することを記憶するアプリケーション実行情報記憶手段をさらに備え、前記実行指示手段は、前記所定の時間帯以外の時間帯に前記再記録手段の実行の指示を行う請求項１記載の携帯端末装置。
【発明の詳細な説明】
【技術分野】
【０００１】
本発明は、情報（データ）の繰り返しの読み込み／書き込み／消去が可能とされる情報記録媒体を備えた携帯端末装置に関する。
【背景技術】
【０００２】
一般に、半導体メモリなどの記録媒体に情報（以下データ）を書き込む際には、空いている記録領域を見つけて順番にデータを書き込んでいく。したがって、データの書き込みと消去を繰り返しているとデータが連続した記録領域に記録されず記録領域が断片化（フラグメント化（以下フラグ化））されていく。フラグ化が進むと上位の制御系が管理する記録領域の管理テーブルが大きくなると共に、制御系が記録媒体にアクセスする回数が増加するため処理能力も低下する傾向にある。これらを解決するために記録領域上に連続した状態に再記録するデフラグメンテーション化（以下デフラグ化）を実施している。
【０００３】
従来の携帯端末でのデフラグ化の方法として、例えば特許文献１記載のものがある。この特許文献１に記載のものは、携帯端末本体における充電状態検出点の電圧変化を監視しておき、端末本体が充電台に置かれ充電開始を検出すると、デフラグ化対象の情報記録媒体のデフラグ化処理を自動的に開始するものである。
【特許文献１】特開２００１−１４７７８４号公報
【発明の開示】
【発明が解決しようとする課題】
【０００４】
しかしながら、特許文献１記載のデフラグ装置のように充電開始直後にデフラグ化処理を行うと、携帯電話においてはユーザが使用中の場合が多々有り、ユーザが使用中でのデフラグ化処理によって上位制御系の処理負荷大きくなりユーザの端末使用に影響を及ぼすという問題があった。
【０００５】
本発明は、このような従来の問題を解決するためになされたもので、情報記録媒体のデフラグ化処理を予め定めた所定条件に適合する場合に実行するようにし、デフラグ化処理によってユーザの端末使用に影響を及ぼさない携帯端末を提供することを目的とする。
【課題を解決するための手段】
【０００６】
本発明の携帯端末装置は、情報が記録される情報記録手段と、情報記録手段の記録領域上で分散化された情報を、記録領域上で連続した状態に再記録する再記録手段と、装置本体の動作状況に応じた再記録手段の実行条件を定める実行条件設定手段と、装置本体の動作状態を検出する検出手段と、検出手段での検出結果が実行条件設定手段で設定した実行条件になった場合に再記録手段の実行の指示を行う実行指示手段とを有する構成を有している。
【０００７】
この構成により、実行条件設定手段によって定められた条件によって分散化された情報の連続した状態への再記録処理が実行できる。
【０００８】
また、本発明の携帯端末装置は、実行条件設定手段で定める実行条件が、装置本体の充電状況検出である構成を有している。
【０００９】
この構成により、装置本体の充電状況によって再記録処理が実行できる。
【００１０】
また、本発明の携帯端末装置は、実行条件設定手段で定める実行条件が、装置本体の操作状況検出である構成を有している。
【００１１】
この構成により、装置本体の操作状況によって再記録処理が実行できる。
【００１２】
さらに、本発明の携帯端末装置は、実行条件設定手段で定める実行条件が、装置本体のアプリケーション動作状況検出である構成を有している。
【００１３】
この構成により、装置本体のアプリケーションの動作状況によって再記録処理が実行できる。
【００１４】
さらに、本発明の携帯端末装置は、実行条件設定手段で定める実行条件が、ユーザによる装置本体への所定入力操作状況検出である構成を有している。
【００１５】
この構成により、ユーザによって所定の入力操作が実施された際に再記録処理が実行できる。
【００１６】
さらに、本発明の携帯端末装置は、実行条件設定手段で定める実行条件が、装置本体の情報記録手段へのアクセス速度状況検出である構成を有している。
【００１７】
この構成により、装置本体の情報記録媒体へのアクセス速度状況によって再記録処理が実行できる。
【００１８】
さらに、本発明の携帯端末装置は、実行条件設定手段で定める実行条件が、装置本体の操作状況検出、およびユーザによる装置本体への所定入力操作状況検出であり、ユーザによる装置体への所定入力操作時に、ユーザに装置本体の充電を促す警告を表示する表示手段をさらに備えた構成を有している。
【００１９】
この構成により、ユーザによって所定の入力操作が実施された際に、充電を促す警告メッセージが表示され、充電状態になった後に再記録処理が実行できる。
【００２０】
さらに、本発明の携帯端末装置は、実行条件設定手段で定める実行条件が、装置本体の操作状況検出、およびユーザによる装置本体への所定入力操作状況検出であり、ユーザによる装置本体への所定入力操作時に、ユーザに装置本体の充電を促す警告を音声で出力する音声出力手段をさらに備えた構成を有している。
【００２１】
この構成により、ユーザによって所定の入力操作が実施された際に、充電を促す警告    メッセージが音声で出力され、充電状態になった後に再記録処理が実行できる。
【００２２】
さらに、本発明の携帯端末装置は、装置本体が第１の時間帯にアプリケーションを実行することを記憶するアプリケーション実行情報記憶手段をさらに備え、第１の時間帯以外の第２の時間帯に再記録手段の実行を行う構成を有している。
【００２３】
この構成により、あらかじめ設定したアプリケーション実行時間帯以外の時間帯に再記録処理を実行できる。
【発明の効果】
【００２４】
本発明の携帯端末装置は、情報が記録される情報記録手段と、情報記録手段の記録領域上で分散化された情報を、記録領域上で連続した状態に再記録する再記録手段と、装置本体の動作状況に応じた再記録手段の実行条件を定める実行条件設定手段と、装置本体の動作状態を検出する検出手段と、検出手段での検出結果が実行条件設定手段で設定した実行条件になった場合に再記録手段の実行の指示を行う実行指示手段とを有することによって、装置本体の動作状況などの条件に応じて柔軟に再記録処理が実行でき、使用者に使用感を悪化させることがないという効果を奏する。
【発明を実施するための最良の形態】
【００２５】
以下、本発明の実施の形態における携帯端末装置について図面を用いて説明する。
【００２６】
以下の説明では、携帯端末装置として一般的な携帯電話を例にして説明を進めるが、本発明は携帯電話に限られるものではない。
【００２７】
（実施の形態１）
図１は本発明の実施の形態１における携帯電話の概略全体ブロック図である。
【００２８】
図１において、本実施の形態における携帯電話１００は、アンテナ１０６と無線部１０７の接続体を有しており、これは電話用の電波を送受するものである。この接続体が電話用の電波を受信すると、その電波はインターフェース部１０８を介して制御部１０９に伝えられ、制御部１０９はインターフェース部１０８を介してスピーカなどからなる音声発生部１０２、液晶パネルなどからなる表示部１０３、タッチキーなどからなる操作部１０４、マイクなどからなる集音部１０５を動作させることにより、通話、インターネット接続等の携帯電話サービスを確立させることができる。バッテリーからなる電源部１０１は携帯電話１００を駆動するものであり、バッテリー１０１の電圧が低下すれば充電装置１１１により充電を行う。
【００２９】
また、携帯電話１００は、ＲＯＭやＲＡＭ、外部メモリなどからなるメモリ部１１０を有しており、ＲＯＭには、例えば、携帯電話サービスなどを受けるためのプログラムなどが記憶されており、ＲＡＭにはメールなどのデータが蓄積され、また外部メモリには例えば映像などが記憶されるが、本発明はこれに限られることはない。
【００３０】
さらに制御部１０９は、メモリ部１１０の記憶領域のデフラグ化処理を行う再記録部１１２を有しており、再記録部１１２は、ユーザが携帯端末を使用していても影響がないようにメモリ部１１０のデフラグ化を実行する。
【００３１】
図２は、本実施の形態における携帯電話の再記録部１１２の概略を示すブロック図である。
【００３２】
図２において、再記録部１１２は、図１に示す操作部１０４やインターフェース部１０８からなる、デフラグ化の実行条件情報を入力する実行条件情報設定入力部２０１から入力される実行条件情報を登録する実行条件情報記憶部２０２と、実行条件情報記憶部２０２に登録した実行条件情報に対して携帯電話１００の状態、すなわち充電状況や操作状況やデータ記憶部２０６へのアクセス速度など、を検出する端末状況検出部２０５と、端末状態検出部２０５の検出結果によってデフラグ化の実行を指示する実行指示部２０３と、実行指示部２０３の指示によりデフラグ化処理を行うデフラグメンテーション処理部２０４とを備えている。なお、２０６は、デフラグメンテーション処理部２０４によりデフラグ化の対象となるデータが記憶される、メモリ部１１０内のＲＡＭなどのデータ記憶部である。
【００３３】
また、端末状況検出部２０５は、図１に示す充電装置１１１と接続されてバッテリー１０１の充電状況を検出する充電状況検出部２０５ａと、図１に示すインターフェース部１０８を介して操作部１０４の操作状況や制御部１０９のプログラム実行状況などを検出する操作状況検出部２０５ｂと、データ記憶部２０６へのアクセス速度を検出するデータ記憶部アクセス速度検出部２０５ｃとを備えている。
【００３４】
図３は、本実施の形態における携帯電話１００の充電状況検出部２０５ａの動作を説明する概略構成図である。
【００３５】
充電装置１１１は逆流防止用整流子３０２を介して充電状態検出点３０３に接続され、充電状態検出点３０３は、逆流防止用整流子３０４を介してバッテリー１０１の＋端子に接続されると共に、放電用抵抗などの周辺回路３０５の一端と制御部１０９の入力ポートとに接続される。
【００３６】
このような構成において、携帯電話１００が充電装置１１１に接続されていないときは、バッテリー１０１の電源が携帯電話１００の内部に供給され、このとき充電状態検出点３０３は逆流防止用整流子と放電抵抗などの周辺回路３０５の働きにより電圧は０Ｖ（Ｌ）の状態である。
【００３７】
これに対して、携帯電話１００が充電装置１１１に、接続端子３０１ａおよび３０１ｂを介して接続されると、充電装置１１１から充電電流が逆流防止用整流子３０２、３０４を介してバッテリー１０１に供給されてバッテリー１０１が充電されると共に、携帯電話１００の内部に供給される。このとき、充電状態検出点３０３は電圧が高く（Ｈ）なるため制御部１０９は充電状態検出点３０３の電圧変化を検出して充電状態であることを認識する。
【００３８】
以上のように構成された本実施の形態における携帯電話１００について、その動作を説明する。
【００３９】
まず、実行条件情報として携帯電話１００が充電状態にある時にデフラグ化を実行する場合について、図１〜図３、および動作のフロー図を示す図４を用いて説明する。実行条件情報設定入力部２０１を介してユーザからの実行条件情報として充電状態、および充電状態判定時間が設定されると、その情報は実行条件情報記憶部２０２にセットされる。
【００４０】
携帯電話１００が充電装置１１１に置かれると、充電状態検出点３０３の電圧はＬからＨに変化する。この電圧変化を端末状況検出部２０５の充電状況検出部２０５ａが検出すると、充電状態になったことを実行指示部２０３に通知する（Ｓ４０１のＹｅｓ）。      
【００４１】
実行指示部２０３は充電状況検出部２０５ａからの通知を受けて制御部１０９に内蔵されたタイマーをセットし（Ｓ４０２）、実行条件情報記憶部２０２に登録されている充電状態判定時間を参照し、充電状態が所定の時間続いていることを確認すると（Ｓ４０３のＹｅｓ）、デフラグメンテーション処理部２０４にデフラグ化の指示を行い、デフラグメンテーション処理部２０４はデータ記憶部２０６のデフラグ化を実行する（Ｓ４０４）。
【００４２】
なお、Ｓ４０１で充電状態が検出されない場合は（Ｓ４０１のＮｏ）、充電状態を定期的に検出する動作を繰り返す。また、Ｓ４０３で充電状態が所定時間経過しない場合は（Ｓ４０３のＮｏ）、繰り返し所定時間の経過を確認する。
【００４３】
（実施の形態２）
次に、実行条件情報として携帯電話が待ち受け状態にある時にデフラグ化を実行する場合について図１、図２、および本実施の形態の動作のフロー図を示す図５を用いて説明する。
【００４４】
実行条件情報設定入力部２０１を介してユーザからの実行条件情報として待ち受け状態、および待ち受け状態判定時間が設定されると、その情報は実行条件情報記憶部２０２にセットされる。
【００４５】
携帯電話１００に対してユーザからの操作、または携帯電話自体のアプリケーションの実行がないことを端末状況検出部２０５の操作状況検出部２０５ｂが検出すると、待ち受け状態にあることを実行指示部２０２に通知する（Ｓ５０１のＮｏ）。  実行指示部２０３は操作状況検出部２０５ｂからの通知を受けて内蔵されたタイマーをセットし（Ｓ５０２）、実行条件情報記憶部２０２に登録されている待ち受け状態判定時間を参照し、待ち受け状態が所定の時間続いていることを確認すると（Ｓ５０３のＹｅｓ）、デフラグメンテーション処理部２０４にデフラグ化の指示を行い、デフラグメンテーション処理部２０４はデータ記憶部２０６のデフラグ化を実行する（Ｓ５０４）。
【００４６】
Ｓ５０１でユーザからの操作またはアプリケーションの実行が有る場合は（Ｓ５０１のＹｅｓ）、操作状況およびアプリケーションの実行状況を操作状況検出部２０５ｂが一定周期毎に確認する。
【００４７】
また、携帯電話１００では、電話やメールなどの任意のタイミングでの着信があるが、そのような任意タイミングの着信があっても、それに対するユーザに明らかな操作が無い限り、待ち受け状態が継続するものとし、実行条件情報の成立の監視を継続することが望ましい。
【００４８】
なお、Ｓ５０３でキー操作およびアプリケーションの実行がない状態が所定時間経過しない場合は（Ｓ５０３のＮｏ）、繰り返し所定時間の経過を確認する。
【００４９】
（実施の形態３）
次に、実行条件情報として携帯電話にユーザが所定の操作を実施した時にデフラグ化を実行する場合について図１、図２、および本実施の形態の動作のフロー図を示す図６を用いて説明する。
【００５０】
実行条件情報設定入力部２０１を介してユーザからの実行条件情報としてユーザによる所定の操作（ここでは「１２＃」入力）が設定されると、その情報は実行条件情報記憶部２０２にセットされる。
【００５１】
携帯電話１００に対してユーザから「１２＃」が入力され、端末状況検出部２０５の操作状況検出部２０５ｂが「１２＃」の入力を検出すると、所定の操作が実施されたことを実行指示部２０３に通知する（Ｓ６０１のＹｅｓ）。実行指示部２０３は操作状況検出部２０５ｂからの通知を受けて、実行条件情報記憶部２０２の実行条件情報を参照し、その他に条件がないことを確認すると、デフラグメンテーション処理部２０４にデフラグ化の指示を行い、データ記憶部２０６のデフラグ化を実行する（Ｓ６０２）。
【００５２】
（実施の形態４）
次に、実行条件情報として情報記録手段へのデータの読み込み、書き込みによるアクセス速度が閾値より遅くなった時にデフラグ化を実行する場合について図１、図２、および本実施の形態の動作のフロー図を示す図７を用いて説明する。
【００５３】
実行条件情報設定入力部２０１を介してユーザからの実行条件情報としてデータ記憶部２０６へのアクセス速度およびアクセス速度閾値判定時間が設定されると、その情報は実行条件情報記憶部２０２にセットされる。
【００５４】
データ記憶部アクセス速度検出部２０５ｃはデータ記憶部２０６への読み込み、書き込みに要する速度を測定しており（Ｓ７０１）、データ記憶部２０６への読み込み、書込みに要する速度が実行条件情報としてあらかじめ定めた速度より遅くなったことを検出すると、実行指示部２０３に通知する（Ｓ７０２のＹｅｓ）。実行指示部２０３はデータ記憶部アクセス速度検出部２０５ｃからの通知を受けて内蔵されたタイマーをセットし（Ｓ７０３）、実行条件情報記憶部２０２に登録されているアクセス速度閾値判定時間を参照し、閾値より遅いアクセスが所定の時間続いていることを確認すると（Ｓ７０４のＹｅｓ）、デフラグメンテーション処理部２０４にデフラグ化の指示を行い、データ記憶部２０６のデフラグ化を実行する（Ｓ７０５）。
【００５５】
なお、Ｓ７０２でアクセス速度が閾値より速い場合は（Ｓ７０２のＮｏ）、アクセス速度の監視を継続的に確認する。
【００５６】
また、Ｓ７０４でアクセス速度が閾値より遅い期間が所定時間経過しない場合は（Ｓ７０４のＮｏ）、繰り返し所定時間の経過を確認する。
【００５７】
ところで、本実施の形態におけるＳ７０１でのアクセス速度の測定は、一定時間の平均値とすることも可能である。
【００５８】
以上の各実施の形態では、実行条件情報として充電状態、待ち受け状態、操作状態、及びデータ記憶部へのアクセス速度状態を個別に説明したが、それぞれを組み合わせてひとつの条件にすることも可能である。
【００５９】
（実施の形態５）
次に実行条件情報としてユーザが所定の操作を実施し、且つ携帯電話１００が充電状態にある時にデフラグ化を実行する場合について図１、図２、および本実施の形態の動作のフロー図を示す図８を用いて説明する。
【００６０】
実行条件情報設定入力部２０１を介してユーザからの実行条件情報としてユーザによる所定の操作（ここでは「１２＃」を入力）、充電状態、及び充電状態判定時間が設定されると、その情報は実行条件情報記憶部２０２にセットされる。
【００６１】
携帯電話１００に対してユーザから「１２＃」が入力され、端末状況検出部２０５の操作状況検出部２０５ｂが「１２＃」の入力を検出すると、所定の操作が実施されたことを実行指示部２０３に通知する（Ｓ８０１のＹｅｓ）。
【００６２】
実行指示部２０３は実行条件情報記憶部２０２の実行条件情報を参照し、その他の条件として充電状態があることを確認するとユーザにスピーカ１０２を通じて音声で、もしくは表示部１０３を介して画面表示で充電を促す警告を行う（Ｓ８０２）。
【００６３】
端末状況検出部２０５の充電状況検出部２０５ａが携帯電話１００の充電状態を検出すると、充電状態にあることを実行指示部２０３に通知し（Ｓ８０３のＹｅｓ）、実行指示部２０３は端末状況検出部２０５からの通知を受けて内蔵されたタイマーをセットし（Ｓ８０４）、実行条件情報記憶部２０２の充電状態判定時間を参照し、充電状態が所定の時間続いていることを確認すると、デフラグメンテーション処理部２０４にデフラグ化の指示を行い（Ｓ８０５のＹｅｓ）、デフラグメンテーション処理部２０４はデータ記憶部２０４のデフラグ化を実行する（Ｓ８０６）。
【００６４】
なお、Ｓ８０１のＮｏの場合、Ｓ８０３のＮｏの場合、およびＳ８０５のＮｏの場合は、上記各実施の形態と同様にそれぞれの動作を所定時間ごとに繰り返す。
【００６５】
一般に、デフラグ化を自動で行うと大量のデータの書き込み処理と読み込み処理を行うので電池の消耗が激しいが、本実施の形態では、充電をデフラグ化の条件にしているので、電池の消耗に与える影響はほとんどない。
【００６６】
また、本実施の形態では、実行条件情報としてユーザによる所定の操作、充電状態充電状態の組み合わせにしているが、待ち受け状態、操作状態、及びデータ記憶部へのアクセス速度状態とを組み合わせることも可能である。
【００６７】
（実施の形態６）
次に、実行条件情報として、ユーザがあらかじめアプリケーションプログラムの起動時間を予約してある状況で、携帯電話１００が充電状態になったとき、デフラグ化を実行する場合について説明する。
【００６８】
図９は、本実施の形態における携帯電話の再記録部１１２の概略を示すブロック図であって、図２に示す構成に、さらにテレビ放送などの録画を時間帯指定で行うためのアプリケーション実行情報記憶部２０７を備えている。
【００６９】
本実施の形態の動作を、図１、図３、図９および動作のフロー図を示す図１０を用いて説明する。
【００７０】
まず、ユーザにより操作部１０４からチャンネルや録画開始時刻および録画終了時刻などのテレビ放送の録画予約が入力されると、その情報はアプリケーション実行情報記憶部２０７に設定される。
【００７１】
このような状況で、携帯電話１００が充電装置１１１に置かれると、実施の形態１と同様に、充電状態検出点３０３の電圧はＬからＨに変化する。この電圧変化を端末状況検出部２０５の充電状況検出部２０５ａが検出すると、充電状態になったことを実行指示部２０３に通知する（Ｓ１００１のＹｅｓ）。
【００７２】
実行指示部２０３は充電状況検出部２０５ａからの通知を受けると、その時点が録画予約時間帯であるかをアプリケーション実行情報記憶部２０７に登録されている情報を参照して確認し、その情報が録画予約時間帯でない場合は（Ｓ１００２のＹｅｓ）、内蔵されたタイマーをセットする（Ｓ１００３）。
【００７３】
その後、実行指示部２０３は実行条件情報記憶部２０２に登録されている充電状態判定時間を参照し、充電状態が所定の時間続いていることを確認すると（Ｓ１００４のＹｅｓ）、デフラグメンテーション処理部２０４にデフラグ化の指示を行い、デフラグメンテーション処理部２０４はデータ記憶部２０６のデフラグ化を実行する（Ｓ１００５）。
【００７４】
その後、デフラグ化がすべて終了した場合は（Ｓ１００６のＹｅｓ）一連の動作を終了する。デフラグ化が終了していない場合は（Ｓ１００６のＮｏ）、Ｓ１００１で充電状態を検出し、またＳ１００２で録画予約時間帯以外であることを確認して、デフラグ化の動作を継続する。
【００７５】
なお、録画予約時間帯であるかをアプリケーション実行情報記憶部２０７に登録されている情報を参照し、その情報が録画予約時間帯である場合は（Ｓ１００２のＮｏ）、その時点で動作を終了する。
【００７６】
また、Ｓ１００１で充電状態が検出されない場合は（Ｓ１００１のＮｏ）、充電状態を定期的に検出する動作を繰り返す。さらに、Ｓ１００４で充電状態が所定時間経過しない場合は（Ｓ１００４のＮｏ）、繰り返し所定時間の経過を確認する。
【００７７】
ここではアプリケーションとしてテレビ放送の録画予約を例にして説明したが、お気に入りサイトの情報をダウンロードする時間帯を予約する時などのように、各種アプリケーションを所定の時間帯にわたって実行することを行う場合にも適用できることはいうまでもない。
【００７８】
以上説明してきたように本発明によれば、充電状態やユーザの使用状態などの装置本体の動作状態を検出する検出手段での検出結果が、実行条件設定手段で設定した実行条件になった場合に、再記録手段の実行の指示を行う実行指示手段の指示によって、再記録手段が情報記録手段の記録領域上で分散化された情報を記録領域上で連続した状態に再記録するので、装置本体の動作状況などの条件に応じて柔軟に再記録処理が実行でき、使用者に使用感を悪化させることがない。
【産業上の利用可能性】
【００７９】
以上のように本発明にかかる携帯端末装置は、充電状態やユーザの使用状態などの装置本体の動作状況などの条件に応じて柔軟に再記録処理が実行でき、再記録処理に際して使用者の使用感を悪化させることがないという効果を有し、情報（データ）の繰り返しの読み込み／書き込み／消去が可能とされる情報記録媒体を備えた携帯端末装置として有用である。
【図面の簡単な説明】
【００８０】
【図１】本発明の実施の形態１における携帯電話の概略全体ブロック図
【図２】本発明の実施の形態１における携帯電話の再記録部の概略ブロック図
【図３】本発明の実施の形態１における携帯電話の充電状況検出部の概略ブロック図
【図４】本発明の実施の形態１における携帯電話の動作を示すフロー図
【図５】本発明の実施の形態２における携帯電話の動作を示すフロー図
【図６】本発明の実施の形態３における携帯電話の動作を示すフロー図
【図７】本発明の実施の形態４における携帯電話の動作を示すフロー図
【図８】本発明の実施の形態５における携帯電話の動作を示すフロー図
【図９】本発明の実施の形態６における携帯電話の再記録部の概略ブロック図
【図１０】本発明の実施の形態６における携帯電話の動作を示すフロー図
【符号の説明】
【００８１】
１００    携帯電話
１０１    バッテリー
１０２    スピーカ
１０３    表示部
１０４    操作部
１０５    集音部
１０６    アンテナ
１０７    無線部
１０８    インターフェース部
１０９    制御部
１１０    メモリ部
１１１    充電装置
１１２    再記録部
２０１    実行条件情報設定入力部
２０２    実行条件情報記憶部
２０３    実行指示部
２０４    デフラグメンテーション処理部
２０５    端末状況検出部
２０５ａ    充電状況検出部
２０５ｂ    操作状況検出部
２０５ｃ    データ記憶部アクセス速度検出部
２０６    データ記憶部
２０７    アプリケーション実行情報記憶部
３０１ａ，３０１ｂ    充電装置接続端子
３０２，３０４  逆流防止用整流子
３０３    充電状態検出点
３０５    周辺回路
【図１】
2006318253.tif 000003
【図２】
2006318253.tif 000004
【図３】
2006318253.tif 000005
【図４】
2006318253.tif 000006
【図５】
2006318253.tif 000007
【図６】
2006318253.tif 000008
【図７】
2006318253.tif 000009
【図８】
2006318253.tif 000010
【図９】
2006318253.tif 000011
【図１０】
2006318253.tif 000012